(57)【特許請求の範囲】
【請求項１】
めねじ部が設けられた装置本体と、
ベース側貫通孔が設けられた複数のベース側締結部を有するベース部材と、
前記ベース側締結部に対応した複数の蓋側締結部及びそれらの蓋側締結部を切り離す複数の切断予定部と、蓋側貫通孔とを有する蓋部材と、
前記装置本体の前記めねじ部に螺合するおねじ部を有し、複数の前記ベース側締結部のうち一部の前記ベース側貫通孔と、複数の前記蓋側締結部のうち一部の前記蓋側貫通孔とを貫通することにより、前記蓋部材と前記ベース部材とを前記装置本体に、その頭部が埋め込まれた状態で締結する締結部材とを備え、
前記切断予定部を切断して、前記蓋部材を前記ベース部材から取り外したときに、前記蓋側貫通孔に前記締結部材が貫通した状態で残る前記蓋側締結部及び前記切断予定部の一部からなる切断片が前記締結部材の軸方向に退避して、前記頭部を露呈するようにしたこと、
を特徴とする閉蓋装置。
【請求項２】
請求項１に記載の閉蓋装置において、
前記ベース部材は、前記切断片が前記締結部材の軸方向に移動可能な切断片退避部を前記ベース側締結部に有し、
前記切断片は、前記締結部材の軸周りに所定角度回転後、前記切断片退避部に退避可能な形状であること、
を特徴とする閉蓋装置。
【請求項３】
請求項１又は請求項２に記載の閉蓋装置において、
前記蓋側締結部は、前記締結部材の頭部が埋め込まれる筒状部を有し、
前記切断片退避部は、前記筒状部が全て収まり、前記切断片にある切断予定部の一部形状を収める溝を有すること、
を特徴とする閉蓋装置。
【請求項４】
請求項１から請求項３までのいずれか１項に記載の閉蓋装置において、
前記締結部材は、頭部上面から緩み方向に回転させることができない戻り止めねじであること、
を特徴とする閉蓋装置。
【請求項５】
請求項１から請求項４までのいずれか１項に記載の閉蓋装置において、
遊技装置の電子回路を収めた主基板ケースの不正改造防止のための封印部に使用されること、
を特徴とする閉蓋装置。
【発明の詳細な説明】
【０００１】
【発明の属する技術分野】
本発明は、遊技装置の電子回路を収めた主基板ケースの不正改造防止のための封印部等に使用される閉蓋装置に関するものである。
【０００２】
【従来の技術】
従来から、パチンコ遊技装置，スロットマシン等は、遊技装置の動作を制御するＲＯＭなどを含む電子回路をそなえている。これらの電子回路は、不正防止のために、ベースと蓋とからなる主基板ケース内に収められ、遊技装置本体に取り付けられる。従って、これらの主基板ケースは、容易に開けることができないようにする必要がある。一方、監督官庁等による立入検査等のときには、確認のために主基板ケースを開ける必要があり、検査後は、再度厳重に閉じる必要がある。
最も古典的な方法として、封印シールによる方法が使用されてきたが、この方法では、比較的容易に不正改造等を行うことができた。この問題点を解決するために、特開平１０−２４９０１９号公報，特開平１０−２４９０２０号公報，特開平１０−２４９０２１号公報，特開平１０−２４９０２７号公報，特開平１０−２９０８６８号公報，特開平１０−３０９３６０号公報等では、戻り止めねじを使用して、より確実な不正防止のための閉蓋方法を開示している。
【０００３】
以下に、図６を参照して従来の閉蓋装置について説明する。図６は、従来の閉蓋装置の主要部の断面図である。
ベース１２０内には、図示しない制御回路の基板が固定されている。蓋１１０は、ベース１２０の蓋であり、戻り止めねじ１３０を使用して固定金具１４０に対してベース１２０と共に共締めして固定されている。固定金具１４０は、遊技装置の本体１５０に固定された金具である。
【０００４】
図７は、戻り止めねじ１３０の斜視図である。戻り止めねじ１３０は、頭の形状が一般のねじの頭と異なり、ドライバを使用した場合、ねじ込み方向（Ｒ方向）には、一般のねじと同様にして回転させることができるが、反対方向（ねじの緩み方向：Ｌ方向）にドライバを回転させると、ねじの頭には、その方向の引っかかり形状がなく、斜面１３０ａになっており、ドライバの先端は、斜面１３０ａに沿って押し上げられながら回転するだけで、戻り止めねじ１３０は、回転しない。
【０００５】
蓋１１０は、ガード部１１０ａにより戻り止めねじ１３０の頭を覆っており、戻り止めねじ１３０の頭を工具などでつかんで回転させることもできないので、痕跡を残さずに蓋１１０を外したり、蓋１１０及びベース１２０からなる主基板ケース１６０を交換することはできない。
【０００６】
検査等により、蓋１１０を取外す必要があるときには、蓋１１０の切断予定部１１０ｂをニッパ等の工具を使用して、破壊（切断）して、検査等を行う。また、主基板ケース１６０自体を取外すときには、ベース１２０の切断予定部１２０ｂも切断して取外す。これらの後、再度取付ける場合には、別の位置に設けられたねじ孔において、先に使用したものとは別の新しい戻り止めねじを使用して、取り付けを行う。
【０００７】
【発明が解決しようとする課題】
しかし、前述した従来の装置は、１度使用した戻り止めねじが締結部に残ったままであり、これを取外すことができなかった。従って、これを再使用することかできず、無駄が多かった。戻り止めねじは、規格品の安価なねじではないので、コスト面で割高となる。
また、廃棄物も金属とベース材が一体のままで、分別も難しかった。
更に、再閉蓋用の戻り止めねじは、通常別に添付して納品されるので、つぎの検査時までの間に紛失する場合もあった。紛失防止のために蓋にあらかじめ戻り止めねじを途中まで挿入したものもあったが、検査時に誤って不要な部分まで締結してしまうこともあった。
【０００８】
本発明の課題は、再閉蓋時に戻り止めねじを簡単に取外して再使用することができる閉蓋装置を提供することである。
【０００９】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、めねじ部が設けられた装置本体（４０）と、ベース側貫通孔が設けられた複数のベース側締結部（２１）を有するベース部材（２０）と、前記ベース側締結部に対応した複数の蓋側締結部（１１）及びそれらの蓋側締結部を切り離す複数の切断予定部（１０ｂ）と、蓋側貫通孔とを有する蓋部材（１０）と、前記装置本体の前記めねじ部に螺合するおねじ部を有し、複数の前記ベース側締結部のうち一部の前記ベース側貫通孔と、複数の前記蓋側締結部のうち一部の前記蓋側貫通孔とを貫通することにより、前記蓋部材と前記ベース部材とを前記装置本体に、その頭部が埋め込まれた状態で締結する締結部材（３０）とを備え、前記切断予定部を切断して、前記蓋部材を前記ベース部材から取り外したときに、前記蓋側貫通孔に前記締結部材が貫通した状態で残る前記蓋側締結部及び前記切断予定部の一部からなる切断片が前記締結部材の軸方向に退避して、前記頭部を露呈するようにしたこと、を特徴とする閉蓋装置である。
【００１１】
請求項２の発明は、請求項１に記載の閉蓋装置において、前記ベース部材は、前記切断片が前記締結部材の軸方向に移動可能な切断片退避部（２０ａ）を前記ベース側締結部に有し、前記切断片は、前記締結部材の軸周りに所定角度回転後、前記切断片退避部に退避可能な形状であること、を特徴とする閉蓋装置である。
【００１２】
請求項３の発明は、請求項１又は請求項２に記載の閉蓋装置において、前記蓋側締結部は、前記締結部材の頭部が埋め込まれる筒状部（２０ａ）を有し、前記切断片退避部は、前記筒状部が全て収まり、前記切断片にある切断予定部の一部形状を収める溝（２０ｃ）を有すること、を特徴とする閉蓋装置である。
【００１３】
請求項４の発明は、請求項１から請求項３までのいずれか１項に記載の閉蓋装置において、前記締結部材は、頭部上面から緩み方向に回転させることができない戻り止めねじ（３０）であること、を特徴とする閉蓋装置である。
【００１４】
請求項５の発明は、請求項１から請求項４までのいずれか１項に記載の閉蓋装置において、遊技装置の電子回路を収めた主基板ケース（６０）の不正改造防止のための封印部に使用されること、を特徴とする閉蓋装置である。
【００１５】
【発明の実施の形態】
以下、図面等を参照して、本発明の実施の形態について、更に詳しく説明する。
（実施形態）
図１は、本発明による閉蓋装置を使用した主基板ケース６０の実施形態の全体を示す斜視図である。
図２は、図１のＡ部を拡大した図である。
なお、前述した従来例と同様の機能を果たす部分には、末尾に同一の符号を付して、重複する説明を適宜省略する。
【００１６】
蓋１０は、ベース２０に対する蓋であり、蓋本体１２及び複数の締結部１１を有している。蓋１０は、締結部１１において、戻り止めねじ３０を使用して固定金具４０に対してベース２０と共に共締めされ、固定されている。締結部１１は、蓋本体１２の左右に対になって複数設けられており、各々がガード部１０ａ，貫通部１０ｃを有している。なお、蓋本体１２の表面に記されたＡ〜Ｆは、同一記号の部分を２ヶ所ずつ使用するための指標である。本実施形態では、位置Ｂ〜位置Ｅに本発明を適用している。ガード部１０ａは、戻り止めねじ３０の頭の外周全体を囲み、外部から工具等で掴むことができないようになっている。締結部１１と蓋本体１２とは、切断予定部１０ｂにより一体に接続されている。また、切断予定部１０ｂは、他の締結部１１との間にも設けられており、必要な強度を確保すると共に成形時の湯流れをよくする役割も果たしている。この切断予定部１０ｂは、締結部１１の外周に放射状に等間隔（１２０度間隔）で３ヶ所設けられている。
【００１７】
ベース２０は、蓋１０と共に主基板ケース６０をなすベース部分であり、ＣＰＵ７１等の電子回路を実装した主基盤７０が固定されている。ベース２０は、蓋１０の締結部１１に対応した位置に締結部２１を設けている。ベース２０と蓋１０とは、１辺に２ヶ所設けられたヒンジ１０ｄにより開閉自在に接続されており、締結部１１，２１に戻り止めねじ３０がないときには、ここを支点にして開閉される。締結部２１は、円筒部２０ａ及び溝２０ｃを有している。円筒部２０ａは、その内径が蓋１０のガード部１０ａの外径よりも大きな円筒部であり、円筒の内部が切断片退避部となる。また、円筒部２０ａは、その端面で切断予定部１０ｂを受けている。溝２０ｃは、締結部２１の外周側面に等間隔（１２０度間隔）で３ヶ所設けられた溝であり、戻り止めねじ３０の軸方向にスリット状に設けられ、その幅は、切断予定部１０ｂの厚さよりも広くなっている。溝２０ｃと切断予定部１０ｂの相対位置は、互いに約６０度ずれているので、切断予定部１０ｂが溝２０ｃに落ち込むことはない。
【００１８】
戻り止めねじ３０は、従来技術の説明で説明した戻り止めねじ１３０と同じ構造の一方向ねじである。
【００１９】
（主基板ケース６０の開蓋方法）
図３，図４，図５は、主基板ケース６０を開蓋するときの手順を順次説明する図である。主基板ケース６０を開蓋するには、まず、切断予定部１０ｂを図３に示すＸ部で、ニッパ等によって切断する。これにより、締結部１１は、蓋本体１２から切り離され、締結部１１と切断予定部１０ｂの一部からなる切断片１４となる。この状態で、すでに蓋１０は、開けることができる。また、主基板ケース６０ごと、固定金具４０から外すこともできる。
【００２０】
つぎに、戻り止めねじ３０を中心に切断片１４を約６０度回転させて、残っている切断予定部１０ｂの一部と溝２０ｃとの位置を合わせる（図４）。ここで、切断片１４を戻り止めねじ３０の軸方向（図５のＺ方向）にスライドさせて、ベース部２０の切断片退避部内に収める（図５）。
【００２１】
図５の状態になれば、戻り止めねじ３０は、工具などを使用しなくても、簡単に手で回転させることができるので、検査等が終了した後、再度主基板ケース６０を固定金具４０に固定するときには、この戻り止めねじ３０を再使用することができる。なお、再固定には、今まで使用していた位置Ｂの締結部１１は、破壊されていて使用できないので、つぎの位置Ｃを使用する。
【００２２】
なお、本実施形態では、主基板ケース６０は、締結部として位置Ａ〜位置Ｆを備えており、これは、遊技装置の検査上決められたものであり、以下の内訳にて設定されている。位置Ａ：日電協封印用，位置Ｂ：本体固定用，位置Ｃ：立入検査１回目用，位置Ｄ：立入検査２回目用，位置Ｅ：立入検査３回目用，位置Ｆ：基板回収用である。これらのうち、位置Ｂ〜位置Ｅに対して、本発明を適用した。これらの位置が、取り扱い上再締結作業が必要な位置だからである。
【００２３】
このように、本実施形態によれば、戻り止めねじを簡単に取外すことができるので、再使用することができる。従って、無駄がなくなり、廃棄物の分別も容易となる。また、つぎの検査時までの間に戻り止めねじを紛失することも防ぐことができた。
【００２４】
（変形形態）
以上説明した実施形態に限定されることなく、種々の変形や変更が可能であって、それらも本発明の均等の範囲内である。
【００２５】
（１）本実施形態において、戻り止めねじ３０により蓋１０とベース２０とを固定金具４０に共締めする例を示したが、蓋１０とベース２０とを締結するだけであってもよい。
【００２６】
（２）本実施形態において、切断予定部１０ｂは、３ヶ所設けた例を示したが、切断予定部の数は、任意でよい。
【００２７】
（３）本実施形態において、締結部１１と締結部２１は、切断予定部１０ｂと溝２０ｃの関係により位置固定及びスライド移動を可能にしていたが、これに限らず、例えば、楕円や長方形の締結部を１／４回転ずらした位置に配置したり、星型の形状等、様々な形状でよい。
【００２８】
（４）本実施形態において、戻り止めねじは、図７に示した形態のものを使用する例を示したが、これに限らず、例えば、頭をつぶしてしまうような形態でもよいし、釘のように打ち込む形態のものでもよい。
【００２９】
（５）本実施形態において、本発明を遊技装置の主基板ケースに使用した例を示したが、これに限らず、例えば、各種機器等において、使用者に内部を不用意に開けられたくないような部位に使用してもよい。
【００３０】
【発明の効果】
以上詳しく説明したように、本発明によれば、戻り止めねじを簡単に取外すことができるので、再使用することができる。従って、無駄がなくなり、廃棄物の分別も容易となる。また、つぎの検査時までの間に戻り止めねじを紛失することも防ぐことができる。
【図面の簡単な説明】
【図１】本発明の実施形態の全体を説明する図である。
【図２】図１のＡ部を拡大した図である。
【図３】主基板ケース６０を開蓋するときの手順を説明する図である。
【図４】主基板ケース６０を開蓋するときの手順を説明する図である。
【図５】主基板ケース６０を開蓋するときの手順を説明する図である。
【図６】従来の閉蓋装置を説明する図である。
【図７】戻り止めねじを説明する図である。
【符号の説明】
１０  蓋
１０ｂ  切断予定部
１１，２１  締結部
２０  ベース
３０  戻り止めねじ
４０  固定金具
６０  主基板ケース
７０  主基板
【図１】
0003921315.tif 000002
【図２】
0003921315.tif 000003
【図３】
0003921315.tif 000004
【図４】
0003921315.tif 000005
【図５】
0003921315.tif 000006
【図６】
0003921315.tif 000007
【図７】
0003921315.tif 000008